(57)【要約】【課題】  目隠し蓋等の通常ユーザーが使用ない蓋を、増やすことなく、内蔵不揮発性メモリに記録された撮影画像などの個人情報流出を防ぎ、柔軟な生産調整が可能な撮像装置を提供すること。【解決手段】  撮影画像を記録する不揮発性メモリ基板と、前記不揮発性メモリ基板を撮像装置本体から着脱するための開口部と、前記開口部を塞ぐ蓋体を備えたことを特徴とする。【選択図】  図５(a)
2012124626.tif 000002
【特許請求の範囲】
【請求項１】
撮影画像を記録する不揮発性メモリ基板と、前記不揮発性メモリ基板を撮像装置本体から着脱するための開口部と、前記開口部を塞ぐ蓋体を備えたことを特徴とする撮像装置。
【請求項２】
前記不揮発性メモリ基板には、撮像装置の時刻や設定状態を維持するための電源を供給するバックアップ用２次電池が実装されていることを特徴とする請求項１に記載の撮像装置。
【請求項３】
前記不揮発性メモリ基板には、撮像装置を調整・点検するためのコネクタが実装されていることを特徴とする請求項１または請求項２に記載の撮像装置。
【請求項４】
前記不揮発性メモリ基板と、前記開口部を塞ぐ蓋体を同一のビスで固定することを特徴とする請求項１乃至請求項３の何れか１項に記載の撮像装置。
【請求項５】
さらに撮像装置本体に対して開閉可能に設けられた表示部を備え、前記開口部を塞ぐ蓋体を、前記表示部を収納した状態において対向する位置に設けることを特徴とする請求項１乃至請求項４の何れか１項に記載の撮像装置。
【請求項６】
さらに撮像装置本体に電源を供給する着脱可能なバッテリを収納するバッテリ収納部を備え、前記開口部を塞ぐ蓋体を、前記バッテリ収納部に設けることを特徴とする請求項１乃至請求項４の何れか１項に記載の撮像装置。
【請求項７】
前記不揮発性メモリ基板に、容易に破壊が出来るようにするための切り欠き溝もしくは穴を設けたことを特徴とする請求項１乃至請求項６の何れか１項に記載の撮像装置。
【発明の詳細な説明】
【技術分野】
【０００１】
本発明は、撮像装置に関し、特に撮影画像を保存する不揮発性メモリと、時刻や設定状態を維持するためのバックアップ用2次電池を備えた撮像装置に関するものである。
【背景技術】
【０００２】
近年、撮影画像を記録する記録媒体として、本体から脱着可能なメモリーカードの他に、撮像装置本体に大容量のNAND型フラッシュメモリなどの不揮発性メモリを内蔵したビデオカメラが商品化されている。（例えば非特許文献１）。
【０００３】
この不揮発性メモリを内蔵したビデオカメラは、不揮発性メモリの容量を替えることで、価格を差別化し、製品のバリエーション展開を行う場合がある。
【０００４】
また、一般にビデオカメラ等の撮像装置においては、一般に屋外にて使用する機会が多く、その主たる電源としては２次電池としてのバッテリを用いるのが一般的である。ビデオカメラには、マイクロコンピュータが内蔵されることによって、時刻や設定データが記憶されており、バッテリを取り代える毎に消滅したのではユーザーにとっては非常に使い勝手が良くないものになってしまうため、バックアップ用電源をもつのが一般的である。
【０００５】
従来のバックアップ用電源としては、一般にリチウムボタン電池などの一次電池を用いたものがある。
【０００６】
しかしながら、ビデオカメラにおいて、上述の如くバックアップ用電源として１次電池を用いたとしても、１年程度で電池消耗による寿命がくるため、その都度日時や撮影条件などの各種データの再設定操作が必要となる。
【０００７】
そこで、交換式の１次電池にかえて、主電源の投入によって充電が行われる、リチウム-バナジウム２次電池などの２次電池をバックアップ用電源に用いることによって、バックアップ電池交換を不要とするビデオカメラが商品化されている。
【０００８】
このバックアップ用2次電池は、近年、環境問題の観点から、2次電池のリサイクルに対する法律が施行され、廃棄時にユーザーが撮像装置本体から容易に取り外し、2次電池として個別に処分することが出来る構造が求められている。
【０００９】
例えば、電子機器の外装内部に配設されたプリント基板上に2次電池を着脱可能に取付けておくとともに、2次電池に臨む外装部分に電池取出し用の開口を設け、この開口を蓋によって閉塞する構成が開示されている（例えば特許文献1）。
【００１０】
ところで、従来のビデオカメラでは、生産工場あるいはサービス拠点にて調整・点検を行うための専用のサービスコネクタもしくはチェックランドを有しているものがある。前述したサービスコネクタもしくはチェックランドは、本体の組ばらしを少なくして調整作業時間を減少し、調整費用のコストを減らすために、完成状態からなるべく少ない工程にて、サービスコネクタもしくはチェックランドにアクセスするような構成にすることが求められている。
【００１１】
例えば、撮像装置の外装に前述したコネクタもしくはチェックランドにアクセス可能な開口を設け、この開口を蓋によって閉塞する構成にしたものがある。
【先行技術文献】
【特許文献】
【００１２】
【特許文献１】特開平８−２５５６０６号公報
【非特許文献】
【００１３】
【非特許文献１】「ビデオサロン」,玄光社,2008年，第55巻3号，p28-32
【発明の概要】
【発明が解決しようとする課題】
【００１４】
しかしながら、前述した不揮発性メモリに撮影画像を記録するビデオカメラでは、電源が供給されなくても不揮発性メモリに記録された撮影画像が保持され続けるため、例えば、撮像装置を廃棄する場合に、個人情報が流出してしまうといった問題があった。
【００１５】
また、不揮発性メモリの容量違いで製品のバリエーション展開を行う場合、柔軟な生産調整が可能となる構成が好ましい。
【００１６】
さらに、前述したバックアップ用２次電池の取出し用目隠し蓋や調整・点検を行うためのサービスコネクタ用目隠し蓋等、通常ユーザーが使用ない蓋は、極力数を少なくし、且つ外観上、目立たないように配置することが好ましい。
【００１７】
本発明は、上記のような問題を解決するためになされたものであり、目隠し蓋等の通常ユーザーが使用ない蓋を、増やすことなく、内蔵不揮発性メモリに記録された撮影画像などの個人情報流出を防ぎ、柔軟な生産調整が可能な撮像装置を提供することを目的とする。
【課題を解決するための手段】
【００１８】
上記の目的を達成するために、請求項１に記載の発明は、撮像装置において、撮影画像を記録する不揮発性メモリ基板と、前記不揮発性メモリ基板を撮像装置本体から着脱するための開口部と、前記開口部を塞ぐ蓋体を備えたことを特徴とした。
【００１９】
請求項２に記載の発明は、請求項１に記載の撮像装置において、前記不揮発性メモリ基板には、撮像装置の時刻や設定状態を維持するための電源を供給するバックアップ用２次電池が実装されていることを特徴とした。
【００２０】
請求項３に記載の発明は、請求項１または請求項２に記載の撮像装置において、前記不揮発性メモリ基板には、撮像装置を調整・点検するためのコネクタが実装されていることを特徴とした。
【００２１】
請求項４に記載の発明は、請求項１から請求項３の何れか記載の撮像装置において、前記不揮発性メモリ基板と、前記開口部を塞ぐ蓋体を同一のビスで固定することを特徴とした。
【００２２】
請求項５に記載の発明は、請求項１から請求項４の何れか記載の撮像装置において、さらに撮像装置本体に対して開閉可能に設けられた表示部を備え、前記開口部を塞ぐ蓋体を、前記表示部を収納した状態において対向する位置に設けることを特徴とした。
【００２３】
請求項６に記載の発明は、請求項１から請求項４の何れか記載の撮像装置において、さらに撮像装置本体に電源を供給する着脱可能なバッテリを収納するバッテリ収納部を備え、前記開口部を塞ぐ蓋体を、前記バッテリ収納部に設けることを特徴とした。
【００２４】
請求項７に記載の発明は、請求項１から請求項６の何れか記載の撮像装置において、前記不揮発性メモリ基板に、容易に破壊が出来るようにするための切り欠き溝もしくは穴を設けたことを特徴とした。
【発明の効果】
【００２５】
本発明によれば、撮像装置において、不揮発性メモリ基板を撮像装置本体から着脱するための開口部と、開口部を塞ぐ蓋体を備えた構成とした。よって、撮像装置の廃棄時に、撮像装置から不揮発性メモリを容易に取り外すことが出来、個人情報の流出を防ぐことが可能となる。また、不揮発性メモリを生産工程の最終工程で取り付けることが可能となるので、不揮発性メモリの容量違いで製品のバリエーション展開を行う場合において、柔軟な生産調整が可能となる。
【００２６】
また、不揮発性メモリ基板に、撮像装置の時刻や設定状態を維持するためも電源を供給するバックアップ用２次電池を実装する構成とした。よって、不揮発性メモリとバックアップ用２次電池をまとめて取り外すことが出来、それぞれ個別に取り出す手間を省くことが可能となる。
【００２７】
また、不揮発性メモリ基板に、撮像装置を調整・点検するためのコネクタを実装する構成とした。よって、目隠し蓋をそれぞれ個別に設けずに、ひとつにまとめることが可能となり、部品点数の削減が出来る。
【００２８】
また、不揮発性メモリ基板と開口部を塞ぐ蓋体を同一のビスで固定する構成とした。よって、それぞれに固定するためのビスを設ける必要が無いため、部品点数の削減が可能となる。
【００２９】
さらに、開口部を塞ぐ蓋体を、表示部を収納した状態において対向する位置やバッテリ収納部に設ける構成とした。よって、開口部を塞ぐ蓋体を、外観上目立たなくすることが出来、撮像装置本体の美観を高めることが可能となる。
【００３０】
また、不揮発性メモリ基板に、容易に破壊が出来るようにするための切り欠きもしくは穴を設ける構成とした。よって、不揮発性メモリ基板を容易に破壊することが可能となり、不揮発性メモリに記録されている個人情報の流出を防ぐことが可能となる。
【図面の簡単な説明】
【００３１】
【図１】本発明の実施形態に係るビデオカメラの正面方向（被写体側）から見た斜視図である。
【図２】本発明の実施形態に係るビデオカメラのビデオカメラの後方（撮影者側）から見た斜視図である。
【図３】本発明の実施形態に係るビデオカメラの表示部を開いた状態の斜視図である。
【図４】本発明の実施形態に係るビデオカメラの目隠し蓋を取り外した状態の斜視図である。
【図５（ａ）】不揮発性メモリ基板のビデオカメラ本体への着脱を説明するための図である。
【図５（ｂ）】不揮発性メモリ基板のビデオカメラ本体への着脱を説明するための図である。
【図６】バッテリ収納面に不揮発性メモリ基板を着脱する開口部及び開口部を塞ぐ目隠し蓋を設けた構成を説明するための図である。
【図７】不揮発性メモリ基板を容易に破壊できる構成を説明するための図である。
【発明を実施するための形態】
【００３２】
以下に、本発明の好ましい実施の形態を、添付の図面に基づいて詳細に説明する。図１は、本発明の実施形態に係るビデオカメラの正面方向（被写体側）から見た斜視図、図２は同ビデオカメラの後方（撮影者側）から見た斜視図、である。
【００３３】
図１において、１はビデオカメラ本体、2はビデオカメラ本体1の長手方向前方（被写体側）に設けられたレンズ部、3は撮影音声を集音するマイク部、4は撮影画像を確認するための表示部であり、２．７インチ程度の液晶パネルなどより構成される。また、表示部4は、ヒンジ機構によって開閉及び回転が可能である。
【００３４】
図２において、５はズーム操作を行うためのズームツマミ、６は静止画の記録を行うフォトボタン、７は電源ボタン、８はモードダイヤルであり、ダイヤルを回動動作することで、動画撮影モード、静止画撮影モード、動画再生モード、静止画再生モードを切り替えることが可能である。
【００３５】
９はトリガーボタンであり、押圧動作することで、動画撮影のスタート／ストップを行うことが可能である。
【００３６】
１０はビデオカメラ本体１に対して着脱可能な電源を供給するバッテリである。
【００３７】
次に、本発明の特徴とする不揮発性メモリ及びバックアップ用２次電池、サービスコネクタの配置構成について、詳しく説明する。
【００３８】
図３は、本発明の実施形態に係るビデオカメラの表示部４を開いた状態の斜視図、図４は、本発明の実施形態に係るビデオカメラの目隠し蓋を取り外した状態の斜視図である。
【００３９】
図３及び図４において、１１は表示部４を閉じた状態で対向する位置に設けられた開口部を塞ぐための目隠し蓋、１２は目隠し蓋１１を固定するためのビス、１３は目隠し蓋に指などを掛けて取り外すための凹部である。
【００４０】
図４のように、目隠し蓋１２は、ビス１１を取り外し、凹部１３に指などを掛けることで、取り外すことが可能である。
【００４１】
１４は、不揮発性メモリ基板であり、目隠し蓋１２を取り外すことで、ビデオカメラ本体１に設けられた開口部１５から露出し、ビデオカメラ本体１から取り外すことが可能となる。
【００４２】
不揮発性メモリ基板１４において、１４aは、不揮発性メモリ基板１４に実装された大容量のNAND型フラッシュメモリなどの不揮発性メモリであり、撮影画像を記録する。１４bは、不揮発性メモリ基板１４に実装されたサービスコネクタであり、不図示の受け側のサービスコネクタと接続することにより、生産工場あるいはサービス拠点にて調整・点検を行うことが可能である。１４cは、不揮発性メモリ基板１４に実装されたバックアップ用２次電池であり、バッテリ１０がビデオカメラ本体１から取り外された状態において、時刻や設定状態を維持するために、後述するメイン基板に電源供給を行う。
【００４３】
次に、不揮発性メモリ基板１４のビデオカメラ本体１への着脱について説明を行う。
【００４４】
図５(a)及び図５(b)は、不揮発性メモリ基板１４のビデオカメラ本体１への着脱を説明するための図である。
【００４５】
図５(a)及び図５(b)において、１５はビデオカメラ本体１に設けられた不揮発性メモリ基板１４の着脱を行うための開口部、１６はビデオカメラ本体１を動作させるための主要回路が実装されたメイン基板、１７はビデオカメラ本体に設けられた不揮発性メモリ基板１４及び目隠し蓋１１を固定するためのホルダー板金である。
【００４６】
不揮発性メモリ基板１４は、ビデオカメラ本体１に設けられた開口部１５より、メイン基板１６に実装された接続コネクタ１６aと不揮発性メモリ基板に実装された接続コネクタ１４eを接続することで取り付けられる。
【００４７】
開口部１５は、目隠し蓋11を取り付けることによって塞がれる。
【００４８】
また、ビス１２を、目隠し蓋11に設けられたビス穴１１a、不揮発性メモリ基板１４に設けられたビス穴１４dに貫通させ、ホルダー板金１７に設けられたタップ穴に締め付けることで、不揮発性メモリ基板１４及び目隠し蓋１１が固定保持される。
【００４９】
以上、説明したように、本発明の実施形態では、撮影画像を記録する不揮発性メモリとサービスコネクタ及びバックアップ用２次電池を同一基板に実装すると共に、表示部を閉じた状態で対向する位置に設けた開口部から着脱可能な構成とした。
【００５０】
よって、ビデオカメラの廃棄時に、ビデオカメラ本体から不揮発性メモリを容易に取り外すことが出来、個人情報の流出を防ぐことが可能となる。
【００５１】
また、不揮発性メモリを生産工程の最終工程で取り付けることが可能となるので、例えば、不揮発性メモリの容量違いで製品のバリエーション展開を行う場合において、柔軟な生産調整が可能となる。
【００５２】
さらに、不揮発性メモリとバックアップ用２次電池が同一基板に実装されているため、廃棄時に、不揮発性メモリとバックアップ用２次電池をまとめて取り外すことが出来、それぞれ別個に取り外す手間を省くことが可能となる。
【００５３】
また、不揮発性メモリ、サービスコネクタ、バックアップ用２次電池の目隠し蓋をそれぞれ別個に設けずに、ひとつにまとめ、目隠し蓋と基板を固定保持するためのビスを同一とした構成としたことにより、部品点数の削減が可能となる。
【００５４】
また、開口部及び開口部を塞ぐ目隠し蓋を、外観上目立たない表示部を閉じた状態で対向する位置に設けることで、ビデオカメラ本体の美観を高めることが可能となる。
【００５５】
本発明の実施形態では、開口部及び開口部を塞ぐ目隠し蓋を、外観上目立たない表示部を閉じた状態で対向する位置に設ける構成について説明したが、これに限るものではなく、例えば、図６のように、外観上目立たない、バッテリを取り外した時に露出するバッテリ収納面に開口部及び開口部を塞ぐ目隠し蓋を設ける構成としても良い。
【００５６】
また、図７のように、不揮発性メモリ基板に切り欠き溝１４f、１４h、や穴１４gを設けることで、不揮発性メモリ基板を容易に破壊できるようにすることで、不揮発性メモリに記録されている個人情報の流出を防ぐ構成としても良い。
【符号の説明】
【００５７】
１  ビデオカメラ本体
２  レンズ部
３  マイク部
４  表示部
５  ズームツマミ
６  フォトボタン
７  電源ボタン
８  モードダイヤル
９  トリガーボタン
１０  バッテリ
１１  目隠し蓋
１１a  ビス穴
１２  ビス
１３  凹部
１４  不揮発性メモリ基板
１４a  不揮発性メモリ
１４b  サービスコネクタ
１４c  バックアップ用２次電池
１４d  ビス穴
１４e  接続コネクタ
１４f, １４h  切り欠き溝
１４g  穴
１５  開口部
１６  メイン基板
１６a  接続コネクタ
１７  ホルダー板金
【図１】
2012124626.tif 000003
【図２】
2012124626.tif 000004
【図３】
2012124626.tif 000005
【図４】
2012124626.tif 000006
【図５（ａ）】
2012124626.tif 000007
【図５（ｂ）】
2012124626.tif 000008
【図６】
2012124626.tif 000009
【図７】
2012124626.tif 000010